(57)【要約】  本発明は、ＤＭＢサービスを支援する移動端末機におけるバッテリ電力を制御するための装置及び方法に関するものであって、本発明の装置において、第１及び第２ＲＦ信号処理部は各々のアンテナを介して受信されるＤＭＢ信号及び通話信号を受信する。ＤＭＢモデムは、第１ＲＦ信号処理部から出力されたＤＭＢ信号を復調する。電圧検出器は移動端末の電圧を検出し、検出された電圧が所定しきい値以下であれば、前記ＤＭＢモデムをオフさせる。
2008521336.tif 000002
【特許請求の範囲】
【請求項１】
ディジタルマルチメディア放送（Digital Multimedia Broadcasting：ＤＭＢ）サービスを支援する移動端末におけるバッテリ電力を制御する装置であって、
各々関連しているアンテナを介して受信されるＤＭＢ信号と通話信号を受信する第１及び第２ＲＦ信号処理部と、
前記第１ＲＦ信号処理部から出力されるＤＭＢ信号を復調するＤＭＢモデム部と、
前記移動端末の電圧を検出し、検出された電圧が所定しきい値以下の場合、前記ＤＭＢモデム部をオフさせる電圧検出部と
からなることを特徴とするバッテリ電力制御装置。
【請求項２】
ディジタルマルチメディア放送（Digital Multimedia Broadcasting：ＤＭＢ）信号を受信するＤＭＢモデム部と、前記ＤＭＢモデム部と連結された電圧検出部を備えた端末におけるバッテリ電力制御方法であって、
前記電圧検出部が端末の電圧を検出し、検出された電圧が所定しきい値以下であるかどうかを判断する過程と、
前記検出された電圧が所定しきい値以下の場合、前記電圧検出部が前記ＤＭＢモデム部をオフさせる過程と
を含んで構成されることを特徴とするバッテリ電力制御方法。
【請求項３】
ディジタルマルチメディア放送（Digital Multimedia Broadcasting：ＤＭＢ）サービスを支援する移動端末におけるバッテリ電力を制御する装置であって、
各々関連しているアンテナを介して受信されるＤＭＢ信号と通話信号を受信する第１及び第２ＲＦ信号処理部と、
前記第１ＲＦ信号処理部から出力されるＤＭＢ信号を復調し、外部から入力されるパワーオフ命令に応答するＤＭＢモデム部と、
前記第２ＲＦ信号処理部から出力される通話信号を処理し、バッテリ電力が所定しきい値以下の場合、前記ＤＭＢモデム部にパワーオフ命令を提供する制御部と
を含むことを特徴とするバッテリ電力制御装置。
【請求項４】
前記制御部は、
周期的にバッテリ電力をチェックし、予め決定された時間の間の平均電圧を測定して、前記平均電圧が一定しきい値以下の場合、パワーオフ命令を発生させることを特徴とする請求項３記載のバッテリ電力制御装置。
【請求項５】
前記制御部は、
前記バッテリ電力を測定するアナログ−ディジタルコンバータ（Analog to Digital Converter：ＡＤＣ）を含むことを特徴とする請求項４記載のバッテリ電力制御装置。
【請求項６】
前記ＤＭＢモデムは、
前記制御部から提供されたパワーオフ命令とインターフェーシングするメモリと、
前記パワーオフ命令によって前記ＤＭＢモデムの電源をオフさせるパワーオフ制御部と
を含むことを特徴とする請求項３記載のバッテリ電力制御装置。
【請求項７】
前記ＤＭＢモデムは、
前記パワーオフ命令を受信すればＤＭＢサービスのための初期平均電圧のレベルが一定しきい値以下であるかどうかを決定し、仮りに初期平均電圧がしきい値以下であれば、ＤＭＢサービス用初期獲得周波数テーブルとＤＭＢモデム部用ソフトウェアで使用する各種パラメータを格納し、作動を停止させることを特徴とする請求項４記載のバッテリ電力制御装置。
【請求項８】
ディジタルマルチメディア放送（Digital Multimedia Broadcasting：ＤＭＢ）信号を復調するＤＭＢモデム部と、通話信号を処理する制御部を備えた端末におけるバッテリ電力制御方法であって、
前記制御部が予め決定された時間の間の平均電圧を測定する過程と、
前記測定された平均電圧が一定しきい値以下であれば、パワーオフ命令を発生させて前記ＤＭＢモデム部に提供する過程と、
前記ＤＭＢモデム部が前記パワーオフ命令を受信すれば、少なくとも１つのパラメータを格納する過程と、
前記パラメータを格納した後、ＤＭＢモデムの作動を中止させる過程と
からなることを特徴とする電力制御方法。
【請求項９】
前記ＤＭＢモデムが成功的なパワーオフを表す情報を前記制御部に提供する過程を更に含むことを特徴とする請求項８記載の電力制御方法。
【請求項１０】
前記少なくとも１つのパラメータは、
ＤＭＢサービス用初期獲得周波数テーブルと前記ＤＭＢモデム部用ソフトウェアで使用する状態パラメータを含むことを特徴とする請求項８記載の電力制御方法。
【発明の詳細な説明】
【技術分野】
【０００１】
本発明は、ディジタルマルチメディア放送（Digital Multimedia Broadcasting；以下、ＤＭＢと称する）端末機に関し、特にＤＭＢ端末機でバッテリ電力を制御するための装置及び方法に関する。
【背景技術】
【０００２】
ＤＭＢサービスは高品質の多チャネルマルチメディア放送を楽しむことができる次世代のディジタル放送サービスである。このようなＤＭＢサービスは、一般的に携帯端末機や車両装着式端末機（ＶＭＴ）に適用される。このようなＤＭＢサービスは、信号送出方式によって衛星ＤＭＢと地上波ＤＭＢとに分けられる。その中で、特に衛星ＤＭＢは衛星を通じて放送コンテンツを送出して加入者が移動中にもビデオ、オーディオ及びデータなど多様なマルチメディア放送を多チャネルで視聴したり聴取することができる放送サービスをいう。
【０００３】
ＤＭＢ端末やＶＯＤ端末のようなＤＭＢサービスを支援するマルチチップ端末機では、ＤＭＢサービスを提供するために電力の消耗が多く発生するので、通話サービスのための最小限のバッテリ電力が確保できないことがあるという問題点がある。
【発明の開示】
【発明が解決しようとする課題】
【０００４】
したがって、前述したような問題点を解決するための本発明の目的は、ＤＭＢ端末において、通話サービスのために必要なバッテリ電力を確保するために効率よくバッテリ電力を制御する装置及び方法を提供することにある。
【０００５】
本発明の他の目的は、ＤＭＢ端末のＤＭＢモデムに装着されたパワーオフ制御部からのソフトウェア命令に応答して信号を処理する装置及び方法を提供することにある。
【０００６】
本発明の更に他の目的は、ＤＭＢ端末で所定時間の間のバッテリ電力レベルを測定してバッテリ電力を安定的に制御する装置を提供することにある。
【０００７】
本発明の更に他の目的は、ＤＭＢ端末で電力がオフされる場合、予めＤＭＢサービス用パラメータを格納する方法及び装置を提供することにある。
【課題を解決するための手段】
【０００８】
上記のような目的を達成するための本発明の一実施形態は、サービスを支援する移動端末におけるバッテリ電力を制御する装置であって、各々関連しているアンテナを介して受信されるＤＭＢ信号と通話信号を受信する第１及び第２ＲＦ信号処理部と、第１ＲＦ信号処理部から出力されるＤＭＢ信号を復調するＤＭＢモデム部と、移動端末の電圧を検出し、検出された電圧が所定しきい値以下の場合、ＤＭＢモデム部をオフさせる電圧検出部とからなることを特徴とする。
【０００９】
上記のような目的を達成するための本発明の他の実施形態は、信号を受信するＤＭＢモデム部と、ＤＭＢモデム部と連結された電圧検出部を備えた端末におけるバッテリ電力制御方法であって、電圧検出部が端末の電圧を検出し、検出された電圧が所定しきい値以下であるかどうかを判断する過程と、検出された電圧が所定しきい値以下の場合、電圧検出部がＤＭＢモデム部をオフさせる過程とを含んで構成されることを特徴とする。
【００１０】
上記のような目的を達成するための本発明の他の実施形態は、サービスを支援する移動端末におけるバッテリ電力を制御する装置であって、各々関連しているアンテナを介して受信されるＤＭＢ信号と通話信号を受信する第１及び第２ＲＦ信号処理部と、第１ＲＦ信号処理部から出力されるＤＭＢ信号を復調し、外部から入力されるパワーオフ命令に応答するＤＭＢモデム部と、第２ＲＦ信号処理部から出力される通話信号を処理し、バッテリ電力が所定しきい値以下の場合、ＤＭＢモデム部にパワーオフ命令を提供する制御部とを含むことを特徴とする。
【００１１】
ＤＭＢモデムは、制御部から提供されたパワーオフ命令とインターフェーシングするメモリと、パワーオフ命令によってＤＭＢモデムの電源をオフさせるパワーオフ制御部とを含むことを特徴とする。
【００１２】
ＤＭＢモデムは、パワーオフ命令を受信すればＤＭＢサービスのための初期平均電圧のレベルが一定しきい値以下であるかどうかを決定し、仮りに初期平均電圧がしきい値以下であれば、ＤＭＢサービス用初期獲得周波数テーブルとＤＭＢモデム部用ソフトウェアで使用する各種パラメータを格納し、作動を停止させることを特徴とする。
【００１３】
制御部は、周期的にバッテリ電力をチェックし、予め決定された時間の間の平均電圧を測定して、平均電圧が一定しきい値以下の場合、パワーオフ命令を発生させることを特徴とする。
【００１４】
上記のような目的を達成するための本発明の更に他の実施形態は、信号を受信するＤＭＢモデム部と、通話信号を処理する制御部を具備した端末におけるバッテリ電力制御方法であって、制御部が予め決定された時間の間の平均電圧を測定する過程と、測定された平均電圧が一定しきい値以下であれば、パワーオフ命令を発生させてＤＭＢモデム部に提供する過程と、ＤＭＢモデム部がパワーオフ命令を受信すれば、少なくとも１つのパラメータを格納する過程と、パラメータを格納した後、ＤＭＢモデムの作動を中止させる過程とからなることを特徴とする。
【００１５】
ＤＭＢモデムが成功的なパワーオフを表す情報を制御部に提供する過程を更に含むことを特徴とする。
【００１６】
パラメータは、ＤＭＢサービス用初期獲得周波数テーブルと、ＤＭＢモデム部用ソフトウェアで使用する状態パラメータを含むことを特徴とする。
【発明の効果】
【００１７】
前述したように、本発明によるＤＭＢ端末は低いバッテリ電力レベルを検出すれば、ＤＭＢモデムをオフさせて、通話サービスのために必要な最小バッテリ電力を確保することができるという利点がある。また、本発明はＤＭＢモデムのパワーオフ制御を制御部でソフトウェア的に遂行して正常なパワーオフモードに進入することによって、誤動作を未然に防止できるのみならず、今後にまたＤＭＢサービスを利用する場合、初期獲得時間を減らすことができる利点がある。
【発明を実施するための最良の形態】
【００１８】
以下、添付図面に基づき、本発明の詳細動作及び構造について詳細に説明する。図面中、参照番号及び同一な構成要素に対しては、たとえそれらが他の図面に示されているとしても、できる限り同じ参照符号及び符号を付している。本発明を説明するに当たり、関連のある公知の機能あるいは構成についての具体的な説明が本発明の要旨を余計に曖昧にする恐れのあると認められる場合、その詳細な説明は省略する。
【００１９】
本発明は、ＤＭＢ端末やＶＯＤ端末のようなマルチチップ端末において、通話サービスのための最小限のバッテリ電力を確保するために緊急パワーオフを遂行するバッテリ電力制御装置及び方法を提案する。
【００２０】
以下の説明では、緊急パワーオフ制御信号をハードウェア的に生成する実施形態と、ソフトウェア的に生成する実施形態の２つの実施形態を説明する。
【００２１】
図１は、本発明の最初の実施形態に係るＤＭＢ端末の内部構成を示すブロック図である。
図１を参照すれば、ＤＭＢ端末は、２つのアンテナ（ＡＮＴ１、ＡＮＴ２）を備えてＤＭＢ信号を受信し、通話信号を送／受信することができる。ＲＦ信号処理部（１）、（２）１１０、１４０は、各々関連したアンテナ（ＡＮＴ１、ＡＮＴ２）から受信されるＲＦ信号を中間周波数（ＩＦ）信号にダウンコンバーティングし、ディジタル信号に変換してＤＭＢモデム１２０及び制御部１５０に各々提供する。 
【００２２】
ＤＭＢモデム１２０は、ＲＦ信号処理部（１）１１０から出力されるＤＭＢ信号を復調する。ＤＭＢモデム１２０は、内部にパワーオフ制御部１２１及びメモリ１２３を備えているが、パワーオフ制御部１２１は、電圧検出部１３０と連結されて、電圧検出部１３０から出力される信号によって緊急パワーオフを行う。電圧検出部１３０は電圧レベルをモニタリングしている中に電圧レベルが所定しきい値（Ｖｔｈ）以下になる瞬間、パワーオフ信号をパワーオフ制御部１２１に提供する。
【００２３】
制御部１５０は、ＤＭＢ端末の全般的な動作を制御し、モデムの役割をしてＲＦ信号処理部（２）１４０から出力されるディジタル信号を復調する。キー入力部１７０は、複数の文字／数字キーと、ファンクションキーを備え、使用者が選択したキーに該当するキー信号を発生させて制御部１５０に提供する。アプリケーション処理部１６０は、マルチメディアデータを処理してスピーカ１８０及び／または表示部１９０に出力することになる。表示部１９０は、ＬＣＤまたはＬＥＤで具現され、アプリケーション処理部１６０から出力される視覚的データをディスプレイする。スピーカ１８０は、アプリケーション処理部１６０から出力される聴覚的データを可聴音に変換する。
【００２４】
緊急パワーオフのために、ＤＭＢ端末は図１に示すような電圧検出部１３０を含んでＤＭＢモデム１２０のバッテリ電力レベルが通話サービスに必要な最小限のバッテリ電力レベルに近接したり、所定しきい値以下の際、ＤＭＢモデム１２０の作動を中止させる。
【００２５】
図２は、本発明の第１実施形態によりＤＭＢ端末での緊急パワーオフ制御方法を説明するためのフローチャートである。
図２を参照すれば、電圧検出部１３０は、ステップＳ１０で、所定時間の間電圧レベルを検出して平均電圧レベルを計算する。次に、ステップＳ２０で、平均電圧レベルが所定しきい値以下であるかどうかを判断する。ステップＳ２０の判断の結果、平均電圧レベルが所定しきい値以下でない場合、ＤＭＢ端末のバッテリ電力がＤＭＢサービスのみならず、通話サービスのためにも充分であるので、電圧検出部１３０はステップＳ１０に戻る。
【００２６】
しかしながら、ステップＳ２０の判断の結果、平均電圧レベルが所定しきい値以下である場合、電圧検出部１３０はステップＳ３０でＤＭＢモデム１２０をパワーオフさせて通話サービスのためにバッテリ電力を節約する。
【００２７】
代案として、本発明は一定周期でバッテリ電力を測定して平均電力レベルを検出し、検出結果によってＤＭＢモデムの作動を中止させてソフトウェアの信頼性と端末の安全性を高めるための装置及び方法を提案する。
【００２８】
次に、本発明の第２実施形態に係るＤＭＢ端末の内部構成を図３を参照しつつ説明する。
図３を参照すれば、ＤＭＢ端末は２つのアンテナ（ＡＮＴ１、ＡＮＴ２）を具備してＤＭＢ信号を受信し、通話信号を送／受信することができる。ＲＦ信号処理部（１）、（２）３１０、３３０は、各々関連しているアンテナ（ＡＮＴ１、ＡＮＴ２）から受信されるＲＦ信号をＩＦ信号にダウンコンバーティングし、ディジタル信号に変換して各々ＤＭＢモデム３２０及び制御部３４０に提供する。 
【００２９】
ＤＭＢモデム３２０は、第１ＲＦ信号処理部（１）３１０から出力されるＤＭＢ信号を復調する。ＤＭＢモデム３２０は、内部にパワーオフ制御部３２１及びメモリ３２３を具備しているが、パワーオフ制御部３２１は、メモリ３２３を通じて外部から受信されるパワーオフ制御命令に応答してＤＭＢモデム３２０をソフトウェア的にオン／オフする。
【００３０】
制御部３４０はＤＭＢ端末の全般的な動作を制御し、モデムの役割をしてＲＦ信号処理部（２）３３０から出力されるディジタル信号を復調したり、マイクロホン３７５を介して入力される通話音声を変調する。制御部３４０は、例えばＭＳＭ（Mobile Station Modem）の役割をして音声通話サービス、短文メッセージサービス（ＳＭＳ）、マルチメディアサービス、インターネットサービスなどの多様なアプリケーションを駆動させる。キー入力部３７０は複数の文字／数字キーと、ファンクションキーを具備し、使用者が選択したキーに該当するキー信号を発生させて制御部３４０に提供する。マイクロホン３７５は入力される音声信号を電気信号に変換して制御部３４０に提供する。
【００３１】
アプリケーション処理部３６０は、マルチメディアデータを処理してスピーカ３８０及び／または表示部３９０に出力する。表示部３９０はＬＣＤまたはＬＥＤで具現され、アプリケーション処理部３６０から出力される視覚的データをディスプレイする。スピーカ３８０は、アプリケーション処理部３６０から出力される聴覚的データを可聴音に変換する。
【００３２】
制御部３４０は、アナログ−ディジタルコンバータ（ＡＤＣ）３４５を含んで、周期的にバッテリ電力レベルをチェックし、所定時間の間の平均電圧を計算する。仮りに、平均電圧が一定しきい値以下であれば、緊急パワーオフ命令をアプリケーション処理部３６０に提供してアプリケーション処理部３６０がＤＭＢモデム３２０をパワーオフするようにする。
【００３３】
ＡＤＣ３４５は、電源部３５０を周期的にモニタリングし、図４に示すように、Ｔ１からＴ２区間のような一定期間の間、平均電圧を算出し、算出した平均電圧が一定しきい値（Ｖｔｈ）以下であれば、緊急パワーオフ命令を発生させる。このように、ＤＭＢ端末は、例えばＴ３時点での一時的な電圧降下によりＡＤＣ３４５が緊急パワーオフ命令を誤って発生させないようにすることで、端末が安定的に動作できることになる。
【００３４】
図５は、本発明の第２実施形態に係るＤＭＢ端末におけるバッテリ電力制御方法を示す信号フローチャートである。
図５を参照すれば、ＤＭＢ端末の制御部３４０内のＡＤＣ３４５がステップＳ５１０で電源部３５０を周期的にチェックし、所定期間の平均電圧を算出する。次に、ステップＳ５２０で、制御部３４０は算出された平均電圧が所定しきい値以下であるかどうかを判断する。ステップＳ５２０の判断の結果、算出された平均電圧が所定しきい値以下でない場合、電源部３５０のバッテリ電力がＤＭＢサービスに充分であるので制御部３４０はステップＳ５１０に戻る。
【００３５】
しかしながら、ステップＳ５２０の判断の結果、算出された平均電圧が所定しきい値以下である場合、制御部３２１はステップＳ５３０に進行してＤＭＢモデムパワーオフ命令を発生させて、それとインターフェースされているメモリ３２３（例えば、ＤＰＲＡＭ）にパワーオフ命令を提供する。ＤＭＢモデム３２０は、ステップＳ５４０で、パワーオフ命令を受信すればＤＭＢモデム３２０のノアフラッシュＲＯＭ（NOR FLASH ROM）にＮＶ（Non Volatile）パラメータが格納されているかどうかを決定する。ＮＶパラメータ値の種類にはＤＭＢサービス用初期獲得周波数テーブルと、ＤＭＢモデム３２０のソフトウェアで使用する各種状態パラメータがある。ここで、ＮＶパラメータ値を格納する理由は、ＤＭＢモデム３２０に今後電源が供給される場合、ＤＭＢサービスを受信するための初期獲得時間を縮めることができるためである。例えば、初期獲得周波数テーブルには温度と周波数との間のマッピング情報が含まれているので、今後ＤＭＢモデム３２０に電源が供給されてＤＭＢサービスを受信する場合、ＤＭＢモデムが始めから周波数を検索しないので初期獲得時間を縮められることになる。
【００３６】
ステップＳ５４０での判断の結果、ＮＶパラメータがメモリ３２３に格納されたならば、パワーオフ制御部３２１はステップＳ５５０でＤＭＢモデム３２０をオフさせて、パワーオフの成功に対する情報をメモリ３２３とインターフェースされたアプリケーション処理部３６０に提供する。
【００３７】
以上、本発明の詳細な説明の欄においては具体的な実施形態について詳述したが、本発明はこれに限定されるものではなく、本発明の範囲を逸脱しない限り、各種の実施形態が提供可能である。よって、本発明の真の技術的な範囲は上述の実施形態によって定まるものではなく、特許請求の範囲とその均等物によって定まるべきである。
【図面の簡単な説明】
【００３８】
【図１】本発明の第１実施形態に係る端末の内部構成図を示すブロック図である。
【図２】本発明の第１実施形態に係るＤＭＢ端末のバッテリ電力制御方法を説明するためのフローチャートである。
【図３】本発明の第２実施形態に係るＤＭＢ端末の内部構成図である。
【図４】時間の経過による電圧レベルの変化を示すグラフである。
【図５】本発明の第２実施形態に係るＤＭＢ端末のバッテリ電力制御方法を説明するためのフローチャートである。
【符号の説明】
【００３９】
ＡＮＴ１、ＡＮＴ２      アンテナ
１１０、３１０          ＲＦ信号処理部１
１４０、３３０          ＲＦ信号処理部２
１２０、３２０          ＤＭＢモデム
１２１、３２１          パワーオフ制御部
１２３、３２３          メモリ
１３０                  電圧検出部
１５０、３４０          制御部
１６０、３６０          アプリケーション処理部
１７０、３７０          キー入力部
１８０、３８０          スピーカ
１９０、３９０          表示部
３４５                  アナログ−ディジタルコンバータ（ＡＤＣ）
３７５                  マイクロホン
【図１】
2008521336.tif 000003
【図２】
2008521336.tif 000004
【図３】
2008521336.tif 000005
【図４】
2008521336.tif 000006
【図５】
2008521336.tif 000007
【国際調査報告】
2008521336.tif 000008
2008521336.tif 000009